(57)【要約】【課題】  本発明は、最近、広く使用されるレーザー墨出し装置に関するものであり、運搬時及び設置状態における装置の転倒等によってレーザー発光部ＡＳＳＹが大きな衝撃を受けることで精密調整された光学系やジンバル部のベアリングが狂いを生じる故障が発生することがあるが対策が充分ではない。【解決手段】  揺動機構部により鉛直に垂下すべく揺動自在に支持した発光部ＡＳＳＹ部材の円筒形下部を、装置の不動作時に、スプリングで閉方向に付勢されベース部材と平行な面内で同時に開閉する２本のレバーによって挟むことで固定するごとく形成したレーザー墨出し装置を提供ことにより上記課題を解決するものである。【選択図】  図３
2009031090.tif 000002
【特許請求の範囲】
【請求項１】
揺動機構部により鉛直に垂下すべく揺動自在に支持した発光部ＡＳＳＹ部材の円筒形下部を、装置の不動作時に、スプリングで閉方向に付勢されベース部材と平行な面内で同時に開閉する２本のレバーによって挟むことで固定するごとく形成したことを特徴とするレーザー墨出し装置。
【請求項２】
揺動機構部により鉛直に垂下すべく揺動自在に支持した発光部ＡＳＳＹ部材の円筒形下部を、装置の不動作時に、スプリングで閉方向に付勢されベース部材と平行な面内で同時に開閉する２本のレバーによって３点で挟むことで固定するごとく形成したことを特徴とするレーザー墨出し装置。
【請求項３】
揺動機構部により鉛直に垂下すべく揺動自在に支持した発光部ＡＳＳＹ部材の円筒形下部を、装置の不動作時に、スプリングで閉方向に付勢されベース部材と平行な面内で同時に開閉する２本のレバーによって挟むことで固定するごとく形成し、該レバーの一方をカバー外部に連通する回転軸に設けたカム機構によって、装置の作動時に開方向に回転させるごとくなしたことを特徴とするレーザー墨出し装置。
【請求項４】
揺動機構部により鉛直に垂下すべく揺動自在に支持した発光部ＡＳＳＹ部材の円筒形下部を、装置の不動作時に、スプリングで閉方向に付勢されベース部材と平行な面内で同時に開閉する２本のレバーによって挟むことで固定するごとく形成し、該レバーの一方の回転動作によって装置の動作スイッチを作動させるごとくなしたことを特徴とするレーザー墨出し装置。
【発明の詳細な説明】
【技術分野】
【０００１】
本発明は、土木、建築、機械装置の設置時に使用するライン状のレーザー光線を射出する方式のレーザー墨出し装置に関するものであり、鉛直に垂下すべく揺動自在に支持した発光部ＡＳＳＹ部材を不動作時に固定した状態で、揺動機構部への荷重負担が少なくまた装置の転倒などによる外部からの衝撃を発光部ＡＳＳＹ部材に伝えにくい緩衝機能を有するレーザー墨出し装置に関するものである。
【背景技術】
【０００２】
最近、広く使用されるレーザー墨出し装置において、運搬時及び設置状態における装置の転倒によってレーザー発光部ＡＳＳＹが大きな衝撃を受けることで精密調整された光学系やジンバル部のベアリングが極微小な位置ズレ又は損傷を生じて、本来のレーザーラインの垂直性、水平性、直線性、位置の再現性などに狂いを生じる故障が発生することがある。  このような故障を防止する為に、運搬中にはスイッチ機構と関連してレーザー発光部ＡＳＳＹを揺動可能な範囲の一方に押し付けて、外部からの衝撃による振れを防止しているものが一般的である。  しかし、このような方法では衝撃の加わる方向によっては過大な力がレーザー発光部ＡＳＳＹに加わり、故障を防止できない。  又、斜めに押し付けられたレーザー発光部ＡＳＳＹの偏った荷重が揺動機構部のベアリングに加わり、これを損傷させることがある。  一方、仮に揺動範囲の中央で固定したとしても、カムなどによって直接固定した状態では、その剛性によって外部から衝撃が加わった時にこれを緩衝することが出来ず、レーザー発光部ＡＳＳＹにそのまま衝撃が伝わってしまうことになり、故障を防止する効果は少ない。
【０００３】
対策技術としては、板状のバネを使用してレーザー発光部ＡＳＳＹを抑える方式のものが提案されている。
【特許文献１】特開２００４―１１４２８１  しかし、この構造では板バネの支点の極近傍をカムによって変形させることとなり、実質的には板バネに過大な曲げ応力を加え、その耐久性を著しく損なうことになる。  一方、振り子部分を支持する位置においては、板バネとの接触点がその支点から遠く離れているためにバネの付勢力が弱く、振り子に加わる衝撃力を充分に支えきれず大きな変移が生じて、その戻り運動で生じる衝撃で却って故障の原因を招くこととなる。
【発明の開示】
【発明が解決しようとする課題】
【０００４】
本発明は上記背景の下に成立するものであり、本発明の第１の手段は、揺動機構部により鉛直に垂下すべく揺動自在に支持した発光部ＡＳＳＹ部材の円筒形下部を、装置の不動作時に、スプリングで閉方向に付勢されベース部材と平行な面内で同時に開閉する２本のレバーによって挟むことで固定するごとく形成したことを特徴とするレーザー墨出し装置を提供するものである。
【０００５】
本発明の第２の手段は、揺動機構部により鉛直に垂下すべく揺動自在に支持した発光部ＡＳＳＹ部材の円筒形下部を、装置の不動作時に、スプリングで閉方向に付勢されベース部材と平行な面内で同時に開閉する２本のレバーによって３点で挟むことで固定するごとく形成したことを特徴とするレーザー墨出し装置を提供するものである。
【０００６】
本発明の第３の手段は、揺動機構部により鉛直に垂下すべく揺動自在に支持した発光部ＡＳＳＹ部材の円筒形下部を、装置の不動作時に、スプリングで閉方向に付勢されベース部材と平行な面内で同時に開閉する２本のレバーによって挟むことで固定するごとく形成し、該レバーの一方をカバー外部に連通する回転軸に設けたカム機構によって、装置の作動時に開方向に回転させるごとくなしたことを特徴とするレーザー墨出し装置を提供するものである。
【０００７】
本発明の第４の手段は、揺動機構部により鉛直に垂下すべく揺動自在に支持した発光部ＡＳＳＹ部材の円筒形下部を、装置の不動作時に、スプリングで閉方向に付勢されベース部材と平行な面内で同時に開閉する２本のレバーによって挟むことで固定するごとく形成し、該レバーの内一方の回転動作によって装置の動作スイッチを作動させるごとくなしたことを特徴とするレーザー墨出し装置を提供するものである。
【発明を実施するための最良の形態】
【０００８】
本発明を実施するための最良の形態は、揺動機構部により鉛直に垂下すべく揺動自在に支持した発光部ＡＳＳＹ部材の円筒形下部を、装置の不動作時に、スプリングで閉方向に付勢されベース部材と平行な面内で同時に開閉する２本のレバーによって３点で挟むことで固定するごとく形成し、該レバーの一方をカバー外部に連通する回転軸に設けたカム機構によって、装置の作動時に開方向に回転させるごとくなし、該レバーの内一方の回転動作によって装置の動作スイッチを作動させるごとくなしたことを特徴とするレーザー墨出し装置を提供するものである。
【実施例１】
【０００９】
以下図について本発明の実施形態について説明する。
図１は及び図２は本発明の一実施形態の構造を示す平面図であり、図３はその斜視図である。  尚、図１は、墨出し装置の不動作状態を示し、図２は動作状態を示す。
図１、図２及び図３において、墨出し装置全体を支持するベース部材１の上方に図示しないポール部材及び十字に交わる２本の軸構造を有する揺動機構部により鉛直に垂下すべく揺動自在に支持した発光部ＡＳＳＹ部材２の円筒形下部３を、ベース部材１に植設された軸４、５に回転自在に嵌合しスプリング８で互いに閉方向に付勢されベース部材１と平行な面内で同時に開閉する２本のレバー６、７によって、図１に示す不動作状態においてレバー６上のＢ点、とレバー７上のＣ、Ｄの３点で挟むことで発光部ＡＳＳＹ部材２の揺動範囲のほぼ中央で固定するごとく形成し、該レバー６に形成した肘部９を、図示しない装置カバーの外部に連通する回転軸１０に設けたカム１１に係合せしめ、図２に示す装置の作動時に該カム１１を開方向に回転させるごとくなし、該レバー６に設けたピン１２と他のレバー７に設けた溝１３を係合することで、レバー６の動きと連動してレバー７も開方向に回転するごとくなし、更にレバー７の回転動作によって凹部１４にスイッチレバー１５が係合することでの発光部ＡＳＳＹ部材２に装着された発光光学系等に電源を供給するスイッチ１６を作動させるごとき構造となっている。  尚、発光部ＡＳＳＹ部材２は図３においてやや上方に移動して表示している。  １７は回転軸１０を外部から回転するためのノブである。  カム１１の形状は矢印Ａの方から見た部分側面図Ｖに示す。    
【００１０】
図１、図２及び図３に示す本発明の作用について説明する。
先ず、図１に示す装置の不作動状態で発光部ＡＳＳＹ部材２に外部から衝撃力が加わると、スプリング８によって互いに閉方向に付勢されているレバー６及び７は、スプリング8の力に抗して該レバー６に設けたピン１２と、レバー７に設けた溝１３の係合によって、両方が開方向に動き衝撃力を吸収するが、衝撃力がなくなれば自動的に元の位置に復帰する。  尚、図１に示すごとくレバー６は1点Ｂで円筒形下部３と接触しており、レバー７は２点Ｃ、Ｄで円筒形下部３と接触している。  これは広い面全てで接触するごとく設計すると、実際には部品のわずかな形状の誤差によって接触点が大きく変化し、それによって発光部ＡＳＳＹ部材２を介して図示しない揺動機構部に予期しない荷重が加わるのを防止するためのものである。  今、ノブ１７によってカム１１を部分側面図Ｖにおける右方向に回転させると、レバー６の肘部９をカム１１が押すために、レバー６は図１に示す位置から図２に示す位置まで回転し、レバー７はレバー６に設けたピン１２と、レバー７に設けた溝１３の係合によって図１に示す位置から図２に示す位置まで回転して発光部ＡＳＳＹ部材２の円筒形下部３を開放するとともにレバー７の凹部１４とスイッチレバー１５の作用によってスイッチ１６が作動し、装置の電源がＯＮの状態となる。  このスイッチレバー１５の動きはレバー６、７の回転動作面と同一面内での動作であるためスイッチ１６及びレバー６、７に不都合な捩れ荷重が生じることがない。
また、カム１１の回転、レバー６、レバー７による発光部ＡＳＳＹ部材２の開放の順に動作した最後の凹部１４とスイッチレバー１５の係合動作によってスイッチ１６が作動するため、発光部ＡＳＳＹ部材２の不完全な開放状態でスイッチ１６が動作するなどの動作タイミングにずれが生じることがなく、装置の誤動作を防止することが出来る。  また、大きな衝撃力が加わってもレバー７はそのためにスイッチ１６が作動する位置までは回転しないように図示しないリングによって発光部ＡＳＳＹ部材２の円筒形下部３の揺動可能範囲は定められている。
【００１１】
以上の説明で明らかなごとく、本発明の墨出し装置は、レーザー発光部ＡＳＳＹは常にその揺動範囲の中央に正しく固定され、運搬時及び設置状態における装置の転倒等によって過大な衝撃力を受けてもレーザー発光部ＡＳＳＹが大きな衝撃を受けることによって精密調整された光学系やジンバル部のベアリングが極微小な位置ズレ又は損傷を防止することが出来る。  又、レーザー発光部ＡＳＳＹ部材を固定、開放する通常の動作及び衝撃を受けたときのいずれにおいても特定な部材に大きな応力を生じるために装置の耐久性を損なうごとき心配がない。  更に、レバーの予期せぬ動きでスイッチが誤動作することも防止することが出来るので、本発明による墨出し装置の故障防止効果は極めて著しい。
【図面の簡単な説明】
【００１２】
【図１】本発明の一実施形態の構造を示す平面図である。
【図２】本発明の一実施形態の構造を示す平面図である。
【図３】本発明の一実施形態の構造を示す斜視図である。
【符号の説明】
【００１３】
１：ベース部材
２：発光部ＡＳＳＹ部材
３：円筒形下部
４：軸
５：軸
６：レバー
７：レバー
８：スプリング
９：肘部
１０：回転軸
１１：カム
１２：ピン
１３：溝
１４：凹部
１５：スイッチレバー
１６：スイッチ
１７：ノブ
【図１】
2009031090.tif 000003
【図２】
2009031090.tif 000004
【図３】
2009031090.tif 000005